(57)【要約】【課題】表示システムを提供すること。【解決手段】折りたたみ可能表示ユニットであって、該折りたたみ可能ユニットは、視覚情報を伝達する画像を表示し、該画像は、少なくとも部分的には表示データに基づく、折りたたみ可能表示ユニットと、表示制御ユニットであって、該表示制御ユニットは、該表示データを受け取り、少なくとも１つの折り目信号を受信し、１つ以上の表示制御信号を出力し、該少なくとも１つの折り目信号は、該表示ユニットの少なくとも一部における折り目を示し、該１つ以上の表示制御信号は、該表示ユニットに該画像を表示させるように動作し、該表示制御信号は、該少なくとも１つの折り目信号に少なくとも部分的に応答して、出力され、該少なくとも１つの折り目信号は、該１つ以上の表示制御信号を該画像における視覚情報のフォーマットを変化させるように適合する、表示制御ユニットとを含む、システム。【選択図】図１Ａ
2012198541.tif 000002
【特許請求の範囲】
【請求項１】
視覚情報を伝達する画像を表示する折りたたみ可能表示ユニットであって、該画像は、少なくとも部分的に表示データに基づく、折りたたみ可能表示ユニットと、
表示制御ユニットであって、該表示制御ユニットは、該表示データと、該表示ユニットの少なくとも一部における折り目を示す少なくとも１つの折り目信号とを受信し、該表示ユニットに該画像を表示させるように動作する１つ以上の表示制御信号を出力し、該表示制御信号は、該少なくとも１つの折り目信号に少なくとも部分的に応答して、該１つ以上の表示制御信号を該画像内の視覚情報のフォーマットを変化するように適合するように出力される、表示制御ユニットと
を含む、表示システム。
【請求項２】
視覚情報を伝達する画像を表示する折りたたみ可能表示ユニットであって、該画像は、少なくとも部分的に表示データに基づく、折りたたみ可能表示ユニットと、
折り目検出システムであって、該折り目検出システムは、少なくとも１つの折り目検出信号を受信し、該表示ユニットにおける折り目と該表示ユニットにおける折り目の場所とを示す少なくとも１つの折り目信号を出力する、折り目検出システムと、
表示制御ユニットであって、該表示制御ユニットは、該表示データと、該少なくとも１つの折り目信号とを受信し、該表示ユニットに該画像を表示させるように動作する１つ以上の表示制御信号を出力し、該表示制御信号は、該少なくとも１つの折り目信号に少なくとも部分的に応答して、該少なくとも１つの折り目信号は、折りたたまれた場合に、該表示ユニットの第一の折りたたまれた状態に適合されているフォーマットから、該表示ユニットの第二の折りたたまれた状態に適合されているフォーマットに該画像における視覚情報のフォーマットを適合するように出力される、表示制御ユニットと
を含む、表示システム。
【請求項３】
前記フォーマットは、表示エリアを少なくとも２つの表示サブエリアに分割する、請求項１または２に記載のシステム。
【請求項４】
前記フォーマットは、ｉ）前記折りたたまれた表示ユニットにおける折り目軸上または折り目軸の近くの前記視覚情報の表示を避けるか、そして／またはｉｉ）変形エリア内または該変形エリアの近くに表示された視覚情報の減損を補償する、請求項１または２に記載のシステム。
【請求項５】
前記表示ユニットは、該表示ユニットにおける折り目を検出する少なくとも１つのデバイスをさらに含む、請求項１または２に記載のシステム。
【請求項６】
前記表示ユニットにおける折り目を示す前記折り目信号は、自動的に生成されるか、またはユーザー入力に応答して生成される、請求項１または２に記載のシステム。
【請求項７】
表示テンプレートは、視覚情報の種類と、前記表示ユニットの折り目状態とに関連付けられており、前記表示制御ユニットは、該表示テンプレートを受け取り、少なくとも部分的に該表示テンプレートに基づいて前記表示制御信号を生成する、請求項２に記載のシステム。
【請求項８】
さらに、前記表示ユニットおよび表示制御ユニットは、パーソナルコンピュータ、スマートホン、モバイル電話、ラップトップコンピュータ、ノートブックコンピュータ、リーディングデバイスまたはタブレットコンピュータの群から選択された機械の一部であり、該表示ユニットは、該機械における情報の表示を提供する、請求項２に記載のシステム。
【請求項９】
少なくとも部分的に表示データに応答して１つ以上の表示制御信号を生成することにより、折りたたみ可能表示ユニットに視覚情報を含む１つ以上の画像を表示させることであって、該視覚情報は、第一の表示フォーマットに従って表示される、ことと、
該表示ユニットにおける折り目を示す信号を監視することと、
該表示ユニットにおける折り目を示す信号に応答して、該１つ以上の表示制御信号を生成することにより、該１つ以上の画像における視覚情報の表示を少なくとも１つの第二の表示フォーマットに変化させることであって、該第二の表示フォーマットは、該第一のフォーマットの視覚情報の表示の減損を補償し、該第一のフォーマットは、該表示ユニットにおける折り目によって導入される、ことと
を含む、方法。
【請求項１０】
前記１つ以上の表示信号を変更するために、前記表示データを改変または取り替えることをさらに含む、請求項９に記載の方法。
【請求項１１】
前記表示制御信号は、さらに、前記表示ユニットにおける折り目によって導入された変形上または変形の近くの視覚情報の表示を避けるように変化される、請求項９に記載の方法。
【請求項１２】
前記１つ以上の表示制御信号は、さらに、パーソナルコンピュータ、スマートホン、モバイル電話、ラップトップコンピュータ、ノートブックコンピュータ、リーディングデバイスまたはタブレットコンピュータの群から選択された機械によって、少なくとも部分的に生成される、請求項９に記載の方法。
【請求項１３】
コンピュータプログラム命令を有しているコンピュータ読み取り可能格納媒体であって、該コンピュータプログラム命令は、該コンピュータ読み取り可能格納媒体上に非一時的形態で記録されており、該命令は、実行された場合に、コンピュータシステムに、
表示ユニットにおける折り目を示す信号を監視することと、
該表示ユニットにおける折り目を示す該信号に応答して、該１つ以上の表示制御信号を生成することにより、該１つ以上の画像における視覚情報の表示を少なくとも１つの第二の表示フォーマットに変化させることであって、該第二の表示フォーマットは、該第一のフォーマットの視覚情報の表示の減損を補償し、該第一のフォーマットは、該表示ユニットを折りたたむことによって導入される、ことと
を行わせる、コンピュータ読み取り可能格納媒体。
【請求項１４】
前記命令は、前記コンピューティングシステムに１つ以上の表示テンプレートにさらに応答させ、該１つ以上の表示テンプレートは、視覚情報の表示のためのフォーマットを特定し、該フォーマットは、視覚情報の種類と、前記表示ユニットの折りたたみの状態との両方に応答する、請求項１３に記載のコンピュータ読み取り可能格納媒体。
【請求項１５】
前記命令は、視覚情報の表示のフォーマットを変化させるために、前記コンピューティングシステムに前記表示ユニットにおける折り目の場所にさらに応答させる、請求項１３に記載のコンピュータ読み取り可能格納媒体。
【発明の詳細な説明】
【技術分野】
【０００１】
（技術分野）
本技術は、概して、表示デバイスに関する。より具体的には、視覚情報の表示のために用いられる折りたたみ可能表示デバイスに関する。
【背景技術】
【０００２】
（背景）
現在、折りたたみ可能ディスプレイは、テキスト、ビデオまたはグラフィックスのような視覚情報を表示する際に用いることが可能となりつつある。これらの折りたたみ可能ディスプレイが利用可能であることによって、従来の硬質なディスプレイに比して、多くの利点を提案し得る革新的な新しい表示システムに対する機会が提供される。
【発明の概要】
【課題を解決するための手段】
【０００３】
（発明の概要）
（限定はされないが）テキスト、ビデオ、写真、２次元画像または３次元画像、アイコン、カーソルまたはグラフィックスのような、任意の種類の視覚情報を折りたたみ可能表示デバイス上に表示するために用いられる表示技術のさまざまな実施形態が本明細書において記載されている。いくつかの実施形態において、表示デバイスの表示ユニットは、表示ユニットが１つ以上の場所で折りたたまれることを可能にする、少なくともいくつかの可撓性部分を有している。折り目は、任意の実質的な変形であり得る。折り目は、表示ユニットの１つ以上の実質的に固定された線に沿ってあり得る。例えば、表示ユニットがいくつかの場所で折りたたまれる能力を有しているが、他の場所では折りたたまれる能力を有していない場合があり得る。折り目は、実質的に、はっきりしたしわであり得るが、そうである必要はない。折りたたまれた場合に、表示ユニットは、一例示的実施形態において、折り目の線に沿って変形される。この変形は、変形したエリアに視覚情報の表示を含む。表示ユニットを折りたたむことまたは広げることによって生じた変形したエリアに視覚情報を適合させるために、限定はされないが、構成、特徴、サイズ、形態、位置、明るさ、レイアウト、陰影、間隔、遠近、色合いまたはデザインのような表示された視覚情報の表示フォーマットが、変更、改変または変化される。一例示的実施形態において、より詳細に下に記載されるが、そのような表示ユニットの変形したエリアまたは場所における視覚情報のひずみ、判読不能、知覚不能または次善の表示を避けるために、表示フォーマットは変化される。これらおよび他の実施形態は、より詳細には下に記載されるが、さまざまな用途ならびに（限定はされないが）モバイルデバイス、スマートホン、ｅリーダー、ラップトップコンピュータ、ノートブックコンピュータ、タブレットコンピュータ、パーソナルコンピュータおよび表示システムのようなさまざまな機械での折りたたみ可能表示デバイスの有利な使用を可能にする。
【０００４】
以下の記載は、図面を参照して読まれるべきである。図面においては、異なる図面における類似要素には、類似した態様で数字が付されている。必ずしも一定縮小比ではないが、図面は、例示的な実施形態を描写しており、本明細書に添付の請求項の範囲を限定する意図ではない。さまざまな工程の例がさまざまな図において例示されるが、提供される例の多くは、使用され得る適切な代替案を有する。さらに、複数の例示的な用途が本開示を通して記載されているが、本技術は、折りたたみ可能ディスプレイ技術が価値を有している他の用途においても採用され得ることを理解されたい。
【０００５】
例えば、本発明は、以下の項目を提供する。
（項目１）
視覚情報を伝達する画像を表示する折りたたみ可能表示ユニットであって、該画像は、少なくとも部分的に表示データに基づく、折りたたみ可能表示ユニットと、
表示制御ユニットであって、該表示制御ユニットは、該表示データと、該表示ユニットの少なくとも一部における折り目を示す少なくとも１つの折り目信号とを受信し、該表示ユニットに該画像を表示させるように動作する１つ以上の表示制御信号を出力し、該表示制御信号は、該少なくとも１つの折り目信号に少なくとも部分的に応答して、該１つ以上の表示制御信号を該画像内の視覚情報のフォーマットを変化するように適合するように出力される、表示制御ユニットと
を含む、表示システム。
（項目２）
視覚情報を伝達する画像を表示する折りたたみ可能表示ユニットであって、該画像は、少なくとも部分的に表示データに基づく、折りたたみ可能表示ユニットと、
折り目検出システムであって、該折り目検出システムは、少なくとも１つの折り目検出信号を受信し、該表示ユニットにおける折り目と該表示ユニットにおける折り目の場所とを示す少なくとも１つの折り目信号を出力する、折り目検出システムと、
表示制御ユニットであって、該表示制御ユニットは、該表示データと、該少なくとも１つの折り目信号とを受信し、該表示ユニットに該画像を表示させるように動作する１つ以上の表示制御信号を出力し、該表示制御信号は、該少なくとも１つの折り目信号に少なくとも部分的に応答して、該少なくとも１つの折り目信号は、折りたたまれた場合に、該表示ユニットの第一の折りたたまれた状態に適合されているフォーマットから、該表示ユニットの第二の折りたたまれた状態に適合されているフォーマットに該画像における視覚情報のフォーマットを適合するように出力される、表示制御ユニットと
を含む、表示システム。
（項目３）
上記フォーマットは、表示エリアを少なくとも２つの表示サブエリアに分割する、上記項目のいずれかに記載のシステム。
（項目４）
上記フォーマットは、ｉ）上記折りたたまれた表示ユニットにおける折り目軸上または折り目軸の近くの上記視覚情報の表示を避けるか、そして／またはｉｉ）変形エリア内または該変形エリアの近くに表示された視覚情報の減損を補償する、上記項目のいずれかに記載のシステム。
（項目５）
上記表示ユニットは、該表示ユニットにおける折り目を検出する少なくとも１つのデバイスをさらに含む、上記項目のいずれかに記載のシステム。
（項目６）
上記表示ユニットにおける折り目を示す上記折り目信号は、自動的に生成されるか、またはユーザー入力に応答して生成される、上記項目のいずれかに記載のシステム。
（項目７）
表示テンプレートは、視覚情報の種類と、上記表示ユニットの折り目状態とに関連付けられており、上記表示制御ユニットは、該表示テンプレートを受け取り、少なくとも部分的に該表示テンプレートに基づいて上記表示制御信号を生成する、上記項目のいずれかに記載のシステム。
（項目８）
さらに、上記表示ユニットおよび表示制御ユニットは、パーソナルコンピュータ、スマートホン、モバイル電話、ラップトップコンピュータ、ノートブックコンピュータ、リーディングデバイスまたはタブレットコンピュータの群から選択された機械の一部であり、該表示ユニットは、該機械における情報の表示を提供する、上記項目のいずれかに記載のシステム。
（項目９）
少なくとも部分的に表示データに応答して１つ以上の表示制御信号を生成することにより、折りたたみ可能表示ユニットに視覚情報を含む１つ以上の画像を表示させることであって、該視覚情報は、第一の表示フォーマットに従って表示される、ことと、
該表示ユニットにおける折り目を示す信号を監視することと、
該表示ユニットにおける折り目を示す信号に応答して、該１つ以上の表示制御信号を生成することにより、該１つ以上の画像における視覚情報の表示を少なくとも１つの第二の表示フォーマットに変化させることであって、該第二の表示フォーマットは、該第一のフォーマットの視覚情報の表示の減損を補償し、該第一のフォーマットは、該表示ユニットにおける折り目によって導入される、ことと
を含む、方法。
（項目１０）
上記１つ以上の表示信号を変更するために、上記表示データを改変または取り替えることをさらに含む、上記項目のいずれかに記載の方法。
（項目１１）
上記表示制御信号は、さらに、上記表示ユニットにおける折り目によって導入された変形上または変形の近くの視覚情報の表示を避けるように変化される、上記項目のいずれかに記載の方法。
（項目１２）
上記１つ以上の表示制御信号は、さらに、パーソナルコンピュータ、スマートホン、モバイル電話、ラップトップコンピュータ、ノートブックコンピュータ、リーディングデバイスまたはタブレットコンピュータの群から選択された機械によって、少なくとも部分的に生成される、上記項目のいずれかに記載の方法。
（項目１３）
コンピュータプログラム命令を有しているコンピュータ読み取り可能格納媒体であって、該コンピュータプログラム命令は、該コンピュータ読み取り可能格納媒体上に非一時的形態で記録されており、該命令は、実行された場合に、コンピュータシステムに、
表示ユニットにおける折り目を示す信号を監視することと、
該表示ユニットにおける折り目を示す該信号に応答して、該１つ以上の表示制御信号を生成することにより、該１つ以上の画像における視覚情報の表示を少なくとも１つの第二の表示フォーマットに変化させることであって、該第二の表示フォーマットは、該第一のフォーマットの視覚情報の表示の減損を補償し、該第一のフォーマットは、該表示ユニットを折りたたむことによって導入される、ことと
を行わせる、コンピュータ読み取り可能格納媒体。
（項目１４）
上記命令は、上記コンピューティングシステムに１つ以上の表示テンプレートにさらに応答させ、該１つ以上の表示テンプレートは、視覚情報の表示のためのフォーマットを特定し、該フォーマットは、視覚情報の種類と、上記表示ユニットの折りたたみの状態との両方に応答する、上記項目のいずれかに記載のコンピュータ読み取り可能格納媒体。
（項目１５）
上記命令は、視覚情報の表示のフォーマットを変化させるために、上記コンピューティングシステムに上記表示ユニットにおける折り目の場所にさらに応答させる、上記項目のいずれかに記載のコンピュータ読み取り可能格納媒体。
（項目１３Ａ）
コンピュータプログラム命令を含むコンピュータプログラム製品であって、該コンピュータプログラム命令は、機械読み取り可能媒体上に非一時的形態で記録されており、該命令は、コンピューティングシステム上で、
前記表示ユニットにおける折り目を示す信号を監視することと、
該表示ユニットにおける折り目を示す該信号に応答して、前記１つ以上の表示制御信号を生成することであって、該生成することによって、１つ以上の画像における視覚情報の表示を少なくとも１つの第二の表示フォーマットに変化させ、該第二の表示フォーマットは、第一のフォーマットの視覚情報の表示の減損を補償し、該第一のフォーマットは、該表示ユニットを折りたたむことによって導入される、ことと
を実行するように適合されている、コンピュータプログラム製品。
（項目１４Ａ）
前記コンピューティングシステム上で実行されるように適合されている命令であって、該命令は、１つ以上の表示テンプレートに応答し、該１つ以上の表示テンプレートは、視覚情報の表示のためにフォーマットを特定し、該フォーマットは、視覚情報の種類と、前記表示ユニットの折りたたみの状態との両方に応答する、命令をさらに含む、上記項目のいずれかに記載のコンピュータプログラム製品。
（項目１５Ａ）
前記コンピューティングシステム上で実行されるように適合されている命令であって、該命令は、視覚情報の表示のフォーマットを変化させるために、前記表示ユニットにおける折り目の場所に応答する、命令をさらに含む、上記項目のいずれかに記載のコンピュータプログラム製品。
【０００６】
（開示の要約）
本明細書において開示されるように、視覚情報を折りたたみ可能表示デバイス上に表示する方法、装置およびコンピュータプログラム製品が提供される。表示制御信号は、表示ユニットの折りたたみに応答して、表示デバイスの表示ユニットに導入された折り目変形上における視覚情報の表示の減損を避けるか、または表示の減損を補償するように変更または改変される。または、表示制御信号は、表示ユニットを広げることによって、折り目変形がなくなった場合には、任意の変更または改変を取り消すように変更または改変される。
【０００７】
添付の図が詳細な技術の記載と共に、本開示の主題である本技術をさらに例示し、本技術の原理を説明する役割を果たす。図において、類似の参照数字は、別個の図を通して、同一または機能的に類似した要素を指す。図は、明細書の一部に組み込まれ、明細書の一部を形成する。
【図面の簡単な説明】
【０００８】
【図１Ａ】図１Ａは、本技術の一実施形態に従う表示システムの概略的例示である。
【図１Ｂ】図１Ｂは、本技術の一実施形態に従う表示システムの概略的例示である。
【図２】図２は、本技術の一例示的実施形態に従う折り目検出デバイスを有している折りたたみ可能表示デバイスを例示する。
【図３】図３は、本技術の一例示的実施形態に従って、表示デバイスの折りたたみを決定するのに適切な例示的方法およびコンピュータプログラムを例示するフローチャートである。
【図４】図４は、本技術の一例示的実施形態に従う表示のフォーマットを制御する例示的方法およびコンピュータプログラムを例示するフローチャートである。
【図５Ａ】図５Ａは、本技術の一例示的実施形態に従った、１つのフォーマットから別のフォーマットへの表示フォーマットの変化を例示する。
【図５Ｂ】図５Ｂは、本技術の一例示的実施形態に従った、１つのフォーマットから別のフォーマットへの表示フォーマットの変化を例示する。
【図６Ａ】図６Ａは、本技術に従う表示システムを組み込むデバイスの例示的実施形態を例示する。
【図６Ｂ】図６Ｂは、本技術に従う表示システムを組み込むデバイスの例示的実施形態を例示する。
【図６Ｃ】図６Ｃは、本技術に従う表示システムを組み込むデバイスの例示的実施形態を例示する。
【図７】図７は、本技術の特定の例示的実施形態における使用に適切なコンピューティングプラットフォームを概略的形態で例示する。
【図８】図８は、さらなるコンピューティング環境への表示システムの一体化を例示する。
【発明を実施するための形態】
【０００９】
ここで、図１Ａおよび図１Ｂを参照すると、ディスプレイ素子を有している表示デバイス１２を含む表示システム１０が概略的に例示されている。表示システム１０は、ユニット１１または表示ユニット１１または折りたたみ可能表示ユニット１１とも呼ばれ得る。表示システム１０は、視覚情報を表示する能力を有している。一例示的実施形態において、表示ユニット１１は、表示デバイス１２の構成要素である。表示デバイス１２は、表示ユニット１１または補助的な電子機能性に物理的な支持を提供するコネクタまたは回路のような追加の構成要素を含み得、表示ユニット１１を駆動させる。別の例示的実施形態において、表示ユニット１１は、表示デバイス１２のハウジングに含まれるか、または自立式であるか、もしくは、表示デバイス１２の他の構成要素とは別個のハウジングに含まれる。表示ユニット１１または任意で表示デバイス１２の全体が可撓性または折りたたみ可能であることによって、少なくとも１つの軸１５に沿った、表示ユニット１１の折りたたみ１３に備える。さまざまな例示的実施形態に従い、表示ユニット１１は、例えば（限定としてではなく）、液晶ディスプレイ素子、有機または無機発光ダイオード素子および／またはプラズマ表示技術を用いて、例えば、ユニット１１のディスプレイ表面またはスクリーンを通して視覚情報を表示する。
【００１０】
図１Ｂに例示されるように折りたたまれた場合には、表示ユニット１１は、少なくとも１つの折り目を軸１５に沿って有する。折り目は、ディスプレイに軸１５に沿った変形１７を作る。いくつかの場合において、変形１７は、折り目の線、しわ、または湾曲の形態をとり、視覚情報を表示する表示ユニット１１の能力の減損または損傷になるか、もしくは変形１７上または変形１７の近くに表示された視覚情報を閲覧者の明瞭に見るための能力の減損になる。そのような減損は、例えば、変形１７上または変形１７の近くに表示された視覚情報のひずみ、ブロッキング、圧縮、ピンチング、オーバラップ、損傷した閲覧角度および／または難読化によって引き起こされ得る。そのような減損が表示ユニット１１の折りたたみから生じた場合には、視覚情報の減損した表示を修復するために、そのような減損に対して調節することが望ましい。逆に、１つ以上の変形１７が、表示ユニット１１を広げることによってなくなった場合には、そのような１つ以上の変形１７を受け入れるためになされた調節がやめられ得る。本明細書において用いられた場合には、表示ユニット１１の「折りたたみ」への言及は、表示ユニット１１を実質的に平坦な（または初期の）構成から折りたたまれた構成に折りたたむこと、または折りたたまれた構成から平坦な構成に広げること、または表示ユニット１１の異なる程度の折りたたまれた状態に折りたたみ、広げることを意味する。
【００１１】
一例示的実施形態に従い、ディスプレイの変形１７は、屈曲、圧縮、ピンチングされた表示ユニット１１のエリアを含むか、および／またはディスプレイの面が、変形１７の他の側において、１つの向きから別の部分的または完全な横向きに変化させられる不連続を有しているエリアを含む。さまざまな他の例示的実施形態に従い、折りたたみ可能表示ユニット１１および／またはデバイス１２は、表示ユニット１１および／またはデバイス１２の任意の線または場所または向きに沿って折りたたみ可能であり得るか、もしくは、所定の線または軸に沿ってのみ折りたたみ可能であり得る。一実施形態において、下にはより詳細に記載されているが、表示のエリアにおける視覚情報の変形は、表示エリアを、例えば、変形１７を含まないエリア１１Ａおよび１１Ｂ（軸１５に沿った折り目の別の側の表示エリアであると考えられ得る）のような表示サブエリアに自動的に分割することと、視覚情報の表示を元の表示エリアからサブエリアへ動かすこととによって、避けられる。
【００１２】
再び図１Ａを参照すると、表示制御ユニット１４が表示データ１６をデータ供給源１８から受け取り、視覚情報を表示デバイス１２の表示ユニット１１に発生させるために、１つ以上の表示制御信号２０を表示デバイス１２の１つ以上の表示制御入力２４に適用するために発生させる。表示ユニット１１は、少なくとも部分的には、表示データ１６に基づいて、視覚情報を表示するように動作する（つまり、表示する能力を有している）。一般的に、表示データ１６は、表示される視覚情報を伝達または保有または符号化する。図１Ａにおいてさらに例示されるように、表示制御ユニット１４は、折り目信号３０を受信する、折り目検出システム５４からの少なくとも１つの追加の入力２６を含む。折りたたみ信号３０は、表示ユニット１１の少なくとも一部が折りたたまれていることまたは広げられていることを示し、任意で、折り目変形の１つ以上の場所を示す。表示制御ユニット１４は、表示データ１６を受け取り、少なくとも１つの折り目信号３０を受信する。折り目信号３０は、表示ユニット１１における折り目を示す。表示制御ユニット１４は、１つ以上の表示制御信号２０を出力として生成する。表示制御信号２０は、表示ユニット１１に視覚情報を表示させる。信号３０は、１つ以上のアナログ信号またはデジタル信号またはデータの形態をとり得る。折り目検出システム５４は、表示ユニット１１における折り目を検出するために用いられる１つ以上のロード信号５１をロードセル５０（図２に関連して示され、記載されている）から受信する。
【００１３】
一実施形態に従い、表示制御ユニット１４は、例えば、水平および垂直同期信号ならびに帰線消去期間信号のような表示制御信号２０のタイミングの生成を負う集積回路の形態をとる。別の例示的実施形態に従い、データ供給源１８は、磁気または光学格納デバイスのような（これに限定されない）ビデオランダムアクセスメモリ（ＲＡＭ）または他の格納デバイスもしくは処理デバイスである。さらに別の例示的実施形態に従い、表示制御ユニット１４は、ビデオディスプレイプロセッサ（ＶＤＰ）である。別の例示的実施形態に従い、表示制御ユニット１４は、ビデオシフター、ブラウン管コントローラー（ＣＲＴＣ）、ビデオインターフェースコントローラーまたはビデオコードプロセッサの形態をとり得るビデオディスプレイコントローラーである。さらに他の例示的実施形態に従い、表示制御ユニット１４は、中央処理装置（ＣＰＵ）マザーボードに搭載され得るか、またはマイクロプロセッサチップに一体化され得る。他の例示的実施形態に従い、表示制御信号２０は、アナログまたはデジタルであり得、例えば、コンポーネントビデオ、デジタルビジュアルインターフェース（ＤＶＩ）、ビデオグラフィックスアレイ（ＶＧＡ）または高品位マルチメディアインターフェース（ＨＤＭＩ）ビデオ制御信号であり得るが、それらに限定されない。
【００１４】
一例示的実施形態に従い、本技術の表示システムは、例えば、図１Ａ、図１Ｂおよび図２に例示されるようなデータ供給源１８、表示制御ユニット１４、表示デバイス１２（表示デバイス１２に関連付けられている任意の折り目検出デバイスを含む）および折り目検出システム５４を含む。別の例示的実施形態において、表示システムは、これらの構成要素の全てよりも少ない構成要素を含み得る。例えば、一実施形態において、システムは、表示制御ユニット１４のみを含み得るか、または、別の例示的実施形態において、システムは、折り目検出システム５４のみを含み得るか、または、さらに別の例示的実施形態において、システムは、折り目検出システム５４および表示制御ユニット１４のみを含み得る。さらに、本明細書において記載される方法およびコンピュータプログラム製品も、代替実施形態において、本明細書において記載される代替システム実施形態の動作または機能性のみを含み得るか、または包含し得る。
【００１５】
図２に概略的に例示されるように、一例示的実施形態に従い、折り目信号３０（図１Ａにおいて示されている）は、１つ以上の折り目検出デバイスから得られ得るか、または派生され得る。折り目検出デバイスは、一例示的実施形態において、１つ以上のロードセル５０を含む。ロードセル５０は、表示ユニット１１および／または表示デバイス１２に搭載されるか、または一体化される。表示ユニット１１および／または表示デバイス１２は、折り目検出信号、例えば、一実施形態においては、１つ以上のロードセル信号５１（図１Ａにおいても示されている）を発生させる。別の例示的実施形態に従い、１つ以上のロードセル５０は、表示ユニット１１および／または表示デバイス１２を折りたたむことによって、対応する１つ以上のアナログ（または、代替実施形態においては、デジタル）ロードセル信号５１を１つ以上のロードセル５０に発生させるように、表示ユニット１１および／または表示デバイス１２上に結合される。１つ以上のロードセル５０からの１つ以上のロードセル信号５１は、信号通路５２上を折り目検出システム５４（図１Ａ）まで伝達される。折り目検出システム５４は、例えば、１つ以上の信号５１を解釈する能力を有しているプログラマブルコンピュータまたは他の電子デバイスを有しているコンピューティングプラットフォームの形態をとり、折り目信号３０を生成する。一実施形態に従い、１つ以上の信号５１は、アナログ信号であり、デジタル信号またはデータに変換され、折り目検出システム５４において処理され、表示デバイス１２における折り目の場所を決定する。あるいは、別個のアナログ−デジタル回路が採用され得、アナログ形態の場合は、折り目検出システム５４に伝送される前に、１つ以上の信号５１をデジタル化する。
【００１６】
別の例示的実施形態に従い、１つ以上のロードセル５０のうちの少なくとも一部が互いに対して完全または部分的に横切るように向けられ、その結果、表示ユニット１１および／またはデバイス１２における折り目は、１つ以上の信号５１を用いて、両方の方向または直交するように確実に向けられ得る。さらに一実施形態において、方法１００に関して下でさらに記載されるが、折り目検出システム５４は、表示ユニット１１のおよそ、または正確な折りたたみの程度を決定するか、あるいは、表示ユニット１１が折りたたまれているか否かのみを決定する。２つ以上の折り目軸が可能である場合には、折り目軸の場所も決定する。（２つ以上の折り目軸が可能である場合には、折り目検出システム５４は、各軸における折りたたみの程度と共に、各軸の場所も決定し得る。）一例示的実施形態において、前記の決定は、１つ以上のロードセル５０からの信号の相対的な大きさを用いてなされる。一実施形態において、１つ以上のロードセル５０から生成された１つ以上の信号５１は、表示ユニット１１および／またはデバイス１２の折り目の量または程度に比例するか、または少なくとも相関し得る。そのような相関は、例えば、１つ以上のロードセル５０の所定または既知の信号特徴を格納することによって、確立され得る。信号特徴は、例えば、メモリまたは格納デバイスに格納されている係数または他のパラメータの形態であり、ロードセル信号５１を表示ユニットにおける折り目の程度に翻訳するために用いられる。折り目検出システム５４は、格納デバイスまたはメモリ、折り目検出システム５４のボード上またはボード外の折り目の程度と、折り目軸（２つ以上の折り目がある場合には、複数の折り目軸）の場所とを表す折り目データを記録する。一例示的実施形態に従い、表示ユニット１１および／またはデバイス１２の折りたたみが１つの折り目の線または限定された数の折り目の線に沿った折りたたみに制限される場合には、単一のロードセル５０は、事前に設定された折り目の線に沿って、およその位置を決められ得、その結果、その特定の線に沿った折り目を検出する。
【００１７】
さらに他の例示的実施形態に従い、示されてはいないが、表示ユニット１１または表示デバイス１２を折りたたむか、または広げるかが、１つ以上のカメラから撮られた表示デバイス１２の画像からのような他の手段を用いて決定され得る。画像は、表示ユニット１１またはデバイス１２の折りたたみを決定するために処理される。別の例示的実施形態において、表示デバイス１２の１つの側面上の赤外線供給源のような信号供給源は、表示デバイス１２の反対の側面上の赤外線検出器のような検出器によって検出され得る。検出された信号の検出または大きさは、折りたたみまたは折りたたみの程度を示し得る。さらに別の例示的実施形態において、折り目検出デバイスは、表示ユニット１１に一体化され得るか、もしくは表示ユニット１１または表示デバイス１２の背面（表示面ではない）にファスナー留めされ得るか、または一体化され得る。他の例示的実施形態において、折り目検出信号は、ユーザー入力から、折り目検出デバイスを用いずに生成され得る。
【００１８】
ここで、図３を参照すると、例示的方法１００を示すフローチャートが例示されている。方法１００は、一例示的実施形態において、コンピュータシステムまたはプラットフォーム上で実行されるコンピュータプログラムを用いて実装される。方法１００は、折りたたみまたは折りたたみの程度を決定するのに適切であり、２つ以上の場所が可能である場合には、表示ユニット１１および／またはデバイス１２の折りたたみの場所を任意で決定するのに適切である。方法１００に従い、１つ以上のロードセル５０（１１２）のような（折り目検出信号としての役割を果たす）１つ以上のロードセル信号５１が折り目検出デバイスから受信される。方法１００は、１つ以上のロードセル５０上の緊張または荷重の相対的な程度と、折り目の場所とを１つ以上の信号５１（１１４）から決定する。この決定は、例えば、上に記載された所定または既知の係数またはパラメータのセットを用いてなされ得る。この係数またはパラメータは、ロードセル信号５１と、表示ユニット１１および／またはデバイス１２のそれぞれの物理的折りたたみ動作または特徴との間の相関を示す。一実施形態において、方法１００は、表示ユニット１１および／またはデバイス１２（１１６）における折り目、折り目の程度および／または折り目の場所を決定し、一例示的実施形態においては、表示制御ユニット１４に伝達される折り目信号３０を生成または発生させる。別の例示的実施形態において、方法１００は、１つ以上の信号５１を継続して監視し、折り目信号３０を継続して再決定する。あるいは、例えば、１つ以上の信号５１からの折り目信号３０の決定は、１つ以上のロードセル信号５１における変化に応答して、ビューアーからオンデマンドであるか、および／または時折なされるが、継続的にはなされない。他の一例示的実施形態に従い、方法１００は、中央処理装置上で動作し、折り目検出システム５４のボード上またはボード外のメモリデバイスまたは格納デバイスに格納される。折り目検出システム５４は、一実施形態において、図７のコンピューティングシステム７００を含み得る。方法１００を実装するコンピュータプログラムは、例えば、プログラム７２５に関して記載されるように、格納および実行され得る。
【００１９】
ここで、図４を参照すると、方法１７０のフローチャートが例示されている。方法１７０は、一例示的実施形態において、表示制御ユニット１４のコンピュータシステムまたはプラットフォーム上で実行されるコンピュータプログラムを用いて実装される。この例示的実施形態に従い、方法１７０は、表示データ１６および折り目信号３０に応答して、表示ユニット１１上の視覚情報の表示フォーマットを制御するように動作する。方法１７０は、一例示的実施形態において、ディスプレイの折りたたみに対して、広げられた状態から折りたたまれた状態、折りたたみの一程度から折りたたみの別の程度まで、または折りたたまれた状態から広げられた状態（１７２）までのいずれかを継続的に監視する。別の例示的実施形態において、方法１７０は、折り目検出デバイスによるディスプレイの折りたたみ行動の検出および／または表示制御ユニット１４に伝達されるユーザー入力のみに応答して、動作する。方法１７０は、折り目検出システム５４から受信された折り目信号３０に応答し、表示ユニット１１および／またはデバイス１２（１７４）の折り目および／または折り目の程度を入力および受信する。折り目信号３０および表示データ１６を用いて、方法１７０は、視覚情報を表示ユニット１１（１７６）に表示するために用いられる表示フォーマットを決定する。決定されたフォーマットに基づき、表示ユニット１１上に示された視覚情報は、例えば、表示データ１６および／または１つ以上の表示制御信号２０もしくは信号および／データの中間形態を適合（例えば、変更または改変）することによって、変更または改変され、表示エリアのフォーマットまたは使用を変化させる。表示エリアにおいて、視覚情報が示される（１７８）。動作の１つのモードにおいて、例えば、表示フォーマットは、視覚情報を実質的に平坦な表示エリア上に表示するための初期フォーマットであり得る。平坦な表示エリアは、表示ユニット１１の実質的に完全に表示可能なエリアである。動作の第二のモードにおいて、平坦な表示エリアは、２つ以上のサブエリアに分割され得る。サブエリアは、表示ユニット１１の折りたたみによって生じたディスプレイの変形したエリアを避け、視覚情報のフォーマットは、この表示ユニット１１の再分割された構成のために適合されている。
【００２０】
さらに別の例示的実施形態に従って、示される視覚情報はテキストであり、フォーマットは、第一のフォーマットから別のフォーマットに変化させられるか、またはそれらのフォーマットの間を変化させられる。第一のフォーマットにおいては、図５Ａに例示されるように、表示ユニット１１の実質的に全表示エリアが用いられる。別のフォーマットにおいては、図５Ｂに例示されるように、ディスプレイが表示サブエリアに分割される。変形１７（図１Ａおよび図１Ｂにおいて示されている）におけるか、または変形１７の近くの表示エリアは、表示のためには用いられず、変形１７におけるか、または変形１７の近くの情報の表示の減損を避ける。別の例示的実施形態に従って、視覚情報は、ディスプレイにおける変形１７のエリアに沿ってか、またはエリアにおいて表示され続けるが、例えば、本明細書において記載されたものとは異なるが、フォントのような変形のエリアにおける視覚情報のサイズを増加したり、もしくは視覚情報の色または明るさを変化させたりするように、表示を変更する動作のいずれかを行うことによって、視覚情報の知覚または表示特徴を改善するために、視覚情報が変更または変化させられる。あるいは、例えば、ビデオにおけるようなグラフィックス画像の場合は、ディスプレイの変形したエリアに重なるビデオ画像の部分が変更され得ることによって、画像の実際または知覚されるひずみを軽減し、ビデオ画像が、変形したエリア全て、または実質的に変形したエリアにわたって表示されることを可能にするか、または変形したエリアにわたって、連続した画像表示の見た目を提供する変形した部分の準部分に表示されることを可能にする。他の例示的実施形態において、表示画像は、折り目によって分けられた第一の表示エリアから、より小さく、折り目の１つの側上のみのディスプレイのエリアへシフトまたは動かされる。画像の縮小比は、減少された表示エリアに一致するように減少される。一例示的実施形態に従って、方法１７０（図４）を実装するコンピュータプログラムは、中央処理装置上で動作し、表示制御ユニット１４のボード上またはボード外のメモリデバイスまたは格納デバイスに格納される。一実施形態において、表示制御ユニット１４は、図７のコンピューティングシステム７００を含み得る。コンピュータプログラムは、例えば、プログラム７２５に関連して記載されたように、格納および実行され得る。
【００２１】
代替実施形態において、折り目変形における減損またはひずみの補償として、例えば、変形したエリアにおける視覚情報の表示を避けることを含み得、画像または画像の一部を伸ばしたり、縮めたり、拡大したり、縮小したり、傾けたり、回転させたり、消したり、複製したり、挿入したり、色を変化させることを含むフォーマットの変化を含み得る。そのような補償は、例えば、代替表示データを交換することまたは表示データを改変することと、表示データを変質させることと、および／または表示データとは独立して、表示制御信号の生成を適合または改変することとによって、行われ得る。あるいは、減損またはひずみの補償は、例えば、変形１７の近接から感じられるひずみを減少するように特に適合されているフォントのような、テキストのためのフォントを交換または改変することを含み得る。一般的に、減損またはひずみの補償または補正は、減損またはひずみに関連する１つ以上の望まない効果を減少させ得るか、またはなくし得る。補償または補正の任意の技術が適用され得る。例えば、一例示的実施形態において、例えば、表示デバイス１２が特定の、典型的な閲覧角度から閲覧されることを想定して、方法１７０は、閲覧者から感じられ得るひずみの種類および程度を数学的に決定し得る。
【００２２】
単一の表示エリアフォーマット１９０から二重の表示エリアフォーマット１９２への表示フォーマットの変化が図５Ａおよび図５Ｂに例示されている。この例示的実施形態において、図５Ａの単一の表示エリアフォーマット１９０で表示される視覚情報は、軸１９４に沿って、折り目を検出すると、図５Ｂの二重のエリア１９２に自動的に再フォーマットされる。図５Ａおよび図５Ｂに例示されるように、表示エリアフォーマット１９０および１９２は、破線によって線描写されており、折り目軸１９４または折り目軸１９４から生じる任意の変形とは重複または重ならない。別の実施形態において、再フォーマットは、表示制御ユニット１４に伝達される閲覧者主導の入力に応答して行われ得る。さらに別の例示的実施形態に従って、複数の所定の表示フォーマットオプションまたは表示テンプレートが、表示制御ユニット１４のためにメモリまたは格納デバイスに格納され得、それぞれ、異なる折り目状態または構成のために用いられ得る。例えば、限定ではないが、表示ユニット１１の中心に沿って、表示デバイス１２を折りたたむことは、情報が表示される２つの表示サブエリアを提供するフォーマットに関係し、２つの折り目軸に沿って、ディスプレイを折りたたむことは、３つの表示サブエリアにおける視覚情報の表示に備えるフォーマットに関係し得る。各３つの表示サブエリアは、ディスプレイの別個の平面または実質的に平坦なエリア内にある。さらに別の例示的実施形態において、方法１７０（また方法を実装する任意のコンピュータプログラム）がディスプレイの折りたたみ状態または構成に応答して、テキスト、写真、画像またはビデオのような表示される視覚情報の種類に基づき、表示フォーマットを変化させるように、表示テンプレートは、情報の種類に基づく。例えば、動画のようなビデオは、ディスプレイの２つの異なる側に分裂されない場合があるが、例えば、折り目の１つの側上の表示エリアのみに表示するようにシフトされる場合もある。
【００２３】
動作のさらに別の例示的モードにおいて、表示デバイス１２の閲覧者が表示デバイス１２の近くに設けられた他の表示デバイスの閲覧者から、表示デバイス１２上に表示された視覚情報を遮蔽し得るように、表示フォーマットまたはテンプレートが折りたたまれたディスプレイのサブエリアのうちの１つのみに表示されるか、または特定のサブエリアが視覚情報を表示するために用いられる、表示のプライバシーモードを提供する。１つのそのような実施形態に従って、表示のプライバシーモードは、システム１０へのユーザー入力によって始動される。さらに他の例示的実施形態に従って、例えば、折り目におけるか、または折り目の近くの変形した部分のような、ディスプレイの任意の用いられていない部分、または表示ユニット１１の折りたたみのために、表示のために用いられていない、より大きなエリアが、自動的、半自動的または（ユーザー入力による）手動で、方法１７０（または方法を実装する任意のコンピュータプログラム）の制御下で作動停止され得、例えば、直接、電力を減少させるか、または作動停止された表示エリアを不鮮明または暗くする交換表示データに表示データを変更することによって、そのディスプレイのエリアへの電力が減少またはなくされる。
【００２４】
ここで、図６Ａ、図６Ｂおよび図６Ｃを参照すると、表示システム１０を組み込むデバイスの複数の例示的実施形態が例示されている。図６Ａに例示されるように、表示システム１０は、ユーザーの手に保有され得、例示されるような形態的要素を有し得るｅリーダーのようなリーディングデバイス２００に組み込まれ得る。図６Ｂに例示されるように、表示システム１０は、モバイル電話および／またはスマートホン２１０のようなハンドヘルドモバイルデバイスに組み込まれ得る。図６Ｃに例示されるように、システム１０は、例えば、人ごみの場面において、ディスプレイを閲覧する際のプライバシーを強化するために、ユーザーがディスプレイを折りたたむことを可能にする折りたたみ可能ディスプレイ２２２を有しているパーソナルコンピューティングシステム２２０において用いられ得る。表示システム１０を組み込み得る他のデバイスは、ラップトップコンピュータ、ノートブックコンピュータ、タブレットコンピュータおよび表示システムを含む。
【００２５】
ここで、図７を参照すると、表示制御ユニット１４および／または折り目検出システム５４における使用に適切な例示的コンピューティングシステム７００が概略的形態で例示されている。一例示的実施形態に従って、システム７００は、処理ユニット７０２を含む中央処理装置７１０ならびにメモリ７０４、リムーバブルメモリ格納７１２および非リムーバブル格納７１４を含む。メモリ７０４は、コンピュータ命令またはコンピュータプログラム７２５を格納し、揮発性メモリ７０６および不揮発性メモリ７０８を含み得る。システム７００は、揮発性メモリ７０６ならびに不揮発性メモリ７０８、リムーバブルメモリ格納７１２および非リムーバブル格納７１４のようなさまざまなコンピュータ読み取り可能（または、機械読み取り可能）媒体を含むコンピュータ環境へのアクセスを含み得るか、または有し得る。コンピュータ格納は、ランダムアクセスメモリ（ＲＡＭ）、リードオンリーメモリ（ＲＯＭ）、消去可能プログラマブルリードオンリーメモリ（ＥＰＲＯＭ）および電気的消去可能プログラマブルリードオンリーメモリ（ＥＥＰＲＯＭ）、フラッシュメモリまたは他のメモリ技術、コンパクトディスクリードオンリーメモリ（ＣＤ−ＲＯＭ）、デジタル多機能ディスク（ＤＶＤ）または他の光学的ディスク格納、磁気カスケット、磁気テープ、磁気ディスク格納または他の磁気格納デバイスまたはコンピュータ読み取り可能命令を格納する能力を有している任意の他の有形および物理的媒体を含む。システム７００は、入力７１６、出力７１８および通信接続７２０を含むコンピューティング環境へのアクセスを含み得るか、または有し得る。システム７００は、１つ以上の遠隔コンピュータへ接続する通信接続７２０を用いて、ネットワーク化された環境において動作し得る。遠隔コンピュータは、パーソナルコンピュータ（ＰＣ）、サーバー、ルーター、ネットワークＰＣ、ピアデバイスまたは他の共通ネットワークノードなどを含み得る。通信接続７２０は、ローカルエリアネットワーク（ＬＡＮ）、広域ネットワーク（ＷＡＮ）および他のネットワークを含み得る。コンピュータ読み取り可能命令またはプログラム７２５は、非一時的形態である有形および物理的コンピュータ読み取り可能媒体上に格納され、システム７００の処理ユニット７０２によって実行可能である。命令またはプログラム７２５は、メモリ７０４および格納７１２または７１４のようなコンピュータ読み取り可能媒体を含む１つ以上の異なる有形、物理的および非一時的な物に格納され得る。
【００２６】
図８に例示され、上に記載されたように、表示システム１０は、コンピュータ環境８００にさらに一体化される。環境８００は、例えば、情報をユーザーが選択する際、または環境８００において実行されるコンピュータプログラムに応答して、表示のために、環境８００によって必要とされる視覚情報を表示するために、システム１０を用いる。一例示的実施形態において、コンピュータ環境８００は、図７に関連して記載したような、コンピュータプラットフォームを含む。
【００２７】
一例示的実施形態に従って、表示デバイス１２は、例えば、Ｈｅｗｌｅｔｔ−Ｐａｃｋａｒｄ（ＨＰ）ｃｏｒｐｏｒａｔｉｏｎから入手可能な折りたたみ可能、被覆可能、成形可能なプラスチックディスプレイであり得る。別の例示的実施形態に従って、表示デバイス１２は、例えば、Ｐｈｉｌｉｐｓ  Ｃｏｒｐｏｒａｔｉｏｎから入手可能な折りたたみディスプレイであり得る。別の例示的実施形態に従って、折りたたみ可能ディスプレイは、例えば、そのＰｌａｓｔｉｃ  Ｒｅａｄｅｒデバイスにおいて用いられているが、Ｐｌａｓｔｉｃ  Ｌｏｇｉｃ，Ｉｎｃ．から得られ得る。
【００２８】
さらに他の例示的実施形態に従って、表示制御ユニット１４は、表示制御ユニット１４が用いられる汎用マイクロプロセッサシステムから３Ｄまたは２Ｄグラフィックスレンダリングをオフロードおよび高速化させる専門化されたマイクロプロセッサシステムであるグラフィックスプロセシングユニット（ＧＰＵ）である。さらに別の例示的実施形態に従って、表示制御ユニット１４は、一般的な処理コンピュータの中央処理装置上に一体化されるか、もしくはパーソナルコンピュータまたはサーバーシステムのスロットにインストールされ得る別個の専用ビデオカード上に配備される。さらに別の例示的実施形態に従って、表示制御ユニット１４は、上に記載された解決法の混成である。さらに他の例示的実施形態において、表示制御ユニット１４は、ストリーム処理および汎用ＧＰＵを用い得る。さらなる実施形態において、表示制御ユニット１４および折り目検出システム５４の機能性が組み合わせられ得るか、または再設計され得、その結果、機能の全てが単一のユニットにあり得るか、もしくは単一のコンピュータプログラムまたは方法によって達成され得、表示制御ユニット１４および折り目検出システム５４の機能が交換され得るか、または他方の機能に加えられ得る。さらに、ユニット１４およびシステム５４のそのような機能性は、一例示的実施形態において、全てまたは一部が表示デバイス１２に組み合わせられ得るか、または表示ユニット１４、折り目検出システム５４または表示デバイス１２とは別個および離れている処理システム上で動作するソフトウェア使用または適用のようなシステムの別の構成要素と組み合わせられ得る。加えて、他の例示的実施形態に従って、本明細書において記載されたさまざまな機能性がハードウェア、ソフトウェアまたはそれらの組み合わせに実装され得る。
【００２９】
したがって、上に記載されたように、折りたたみ可能ディスプレイのための表示システム、方法およびコンピュータプログラム製品が提供される。ディスプレイのフォーマットは、ディスプレイを折りたたむことによって生じるディスプレイにおける変形上または変形の近くの視覚情報の表示の際の減損またはひずみを避けるか、または補償するように調節されている。また、記載されたように、とりわけ、システム、方法およびコンピュータプログラム製品は、表示ユニットにおける折り目の検出のためのものである。
【００３０】
したがって、本技術の複数の実施形態を記載したが、他の実施形態が、本明細書に添付の請求項の範囲内に一致して、なされ得ることおよび用いられ得ることが容易に認識される。本明細書によって含まれる技術の数多くの利点が先の記載において記述された。本開示は、多くの点において、例示に過ぎないことが理解される。本明細書において記載されたさまざまな要素に関して、本明細書に添付の請求項の範囲を逸脱せずに、変化がなされ得る。
【図１Ａ】
2012198541.tif 000003
【図１Ｂ】
2012198541.tif 000004
【図２】
2012198541.tif 000005
【図３】
2012198541.tif 000006
【図４】
2012198541.tif 000007
【図５Ａ】
2012198541.tif 000008
【図５Ｂ】
2012198541.tif 000009
【図６Ａ】
2012198541.tif 000010
【図６Ｂ】
2012198541.tif 000011
【図６Ｃ】
2012198541.tif 000012
【図７】
2012198541.tif 000013
【図８】
2012198541.tif 000014
【外国語明細書】
2012198541000001.pdf